(57)【特許請求の範囲】
【請求項１】
天板の周縁部に、ケーブル類を机上に引出す配線空間として機能する切り開き部が形成されており、前記切り開き部を、その一部を残してカバーで塞ぐことにより、前記切り開き部の内周の一部とカバーとの間に通線部が形成されており、前記通線部に、当該通線部を複数に分ける仕切り部を設けている構成であって、
前記仕切り部には、前記切り開き部の内周の一部と略平行に延びる横向き張り出し部を設けており、前記切り開き部の内周の一部と前記横向き張り出し部との間を、細いケーブル類を保持する細幅部と成している、
机。
【請求項２】
天板の周縁部に、ケーブル類を机上に引出す配線空間として機能する切り開き部が形成されており、前記切り開き部を、その一部を残してカバーで塞ぐことにより、前記切り開き部の内周の一部とカバーとの間に通線部が形成されており、前記通線部に、当該通線部を複数に分ける仕切り部を設けている構成であって、
前記切り開き部の内周には、当該内周に重なる樹脂製のカバー受けが装着されており、前記カバー受けに、前記カバーが、前記仕切り部に対して遠近移動するようにスライド自在に取り付けられており、前記仕切り部は前記カバーの移動位置を規制するストッパーとしても機能している、
机。
【発明の詳細な説明】
【技術分野】
【０００１】
本願発明は、ケーブル類を机上に引き出すための配線空間が上下に開口した机に関するものである。
【背景技術】
【０００２】
机の後端部に上下開口の配線空間を設けて、この配線空間からケーブル類を机上に引き出すことは広く行われている。配線空間を形成する手段としては、天板の後端部を部分的に切欠く場合と、天板の後ろに左右横長のパネルやビーム等のバック部材を配置し、天板とバック部材との間の空間を配線空間とする場合とがある。
【０００３】
いずれにしても、配線空間はカバーで覆われていることが普通であり、前者のように天板の後部を部分的に切欠くことで配線空間を形成した机のカバーの例が、特許文献１に記載されている。すなわちこの特許文献１では、カバーは天板の上面に重なり得るように板状になっており、カバーの前後位置を調節することで開口面積を調節できるようになっている。
【先行技術文献】
【特許文献】
【０００４】
【特許文献１】特開２００９−１１２６９５号公報
【発明の概要】
【発明が解決しようとする課題】
【０００５】
さて、一般に机上には多数本のケーブル類が引き出されるが、ケーブル同士が絡まることはよくあり、このため体裁が良くないことがあった。しかし、特許文献１のようにカバーの後ろに単に通線部が空いているに過ぎない構成では、多数本のケーブル類を机上で体裁良く処理することは期待できない。
【０００６】
また、特許文献１では、ケーブル類を机上に引き出すための通線部はカバーの後ろに位置しており、カバーを前後スライドさせることで通線部の面積が調節されるが、特許文献１では、机上に載ったケーブル類を引っ張ると摩擦抵抗によってカバーが手前に引っ張られることがあり、その結果、カバーがずれ動いて通線部の開口面積が広がってしまうことが懸念される。
【０００７】
本願発明は、このような現状を改善すべく成されたものである。
【課題を解決するための手段】
【０００８】
前記目的を達成すべく本願発明者たちは、各請求項の発明を成した。このうち請求項１の発明は、天板の周縁部に、ケーブル類を机上に引出す配線空間として機能する切り開き部が形成されており、前記切り開き部を、その一部を残してカバーで塞ぐことにより、前記切り開き部の内周の一部とカバーとの間に通線部が形成されており、前記通線部に、当該通線部を複数に分ける仕切り部を設けている、という基本構成になっている。
【０００９】
そして、請求項１の発明では、上記基本構成において、前記仕切り部には、前記切り開き部の内周の一部と略平行に延びる横向き張り出し部を設けており、前記切り開き部の内周の一部と前記横向き張り出し部との間を、細いケーブル類を保持する細幅部と成している。
【００１０】
請求項２の発明は、請求項１と同じ基本構成において、
前記切り開き部の内周には、当該内周に重なる樹脂製のカバー受けが装着されており、前記カバー受けに、前記カバーが、前記仕切り部に対して遠近移動するようにスライド自在に取り付けられており、前記仕切り部は前記カバーの移動位置を規制するストッパーとしても機能している。
【発明の効果】
【００１１】
本願発明によると、ケーブルを机上に引き出すための通線部は仕切り部によって複数に仕切られているため、複数本のケーブルを捌いた状態で机上に引き出すことができる。このため、ケーブル同士が固まることを防止して、ケーブル類を体裁よく机上に這わせることができる。
【００１２】
机上に引き出すケーブルは電源線のような太いものから通信線のような細いものまでまちまちであるが、請求項１の構成を採用すると、細いケーブルは通線部のうち細幅部を通して太いケーブルと分けることができるため、仕分け機能（捌き機能）を一層向上させることができる。
【００１３】
カバーをスライド式に構成すると、ケーブル類の量に応じて通線部の開口面積を変更できる利点があるが、請求項２の構成を採用すると、仕切り部をカバーに対するストッパーとして機能させることができるため、それだけ構造を簡素化できる。また、通線部はカバーよりも内側（天板の中心の側）に位置しているため、ケーブルの引っ張りによってカバーがずれ動くようなことは皆無である。
【図面の簡単な説明】
【００１４】
【図１】実施形態に係る机の外観を示す図で、（Ａ）は正面方向からの斜視図、（Ｂ）は分離斜視図である。
【図２】（Ａ）は後ろから見た斜視図、（Ｂ）は後ろからの分離斜視図である。
【図３】（Ａ）は机を内部から見た斜視図、（Ｂ）は側面図、（Ｃ）はケーブル受けを下方から見た斜視図である。
【図４】（Ａ）は机の後部の斜視図、（Ｂ）は机の後部の分離斜視図である。
【図５】（Ａ）は要部の平面図、（Ｂ）は要部の一部省略分離平面図である。
【図６】（Ａ）は要部の分離斜視図、（Ｂ）は要部の斜視図である。
【図７】（Ａ）は要部の分離斜視図、（Ｂ）は要部の斜視図である。
【図８】要部の分離斜視図である。
【図９】（Ａ）（Ｂ）とも要部の分離斜視図である。
【図１０】要部の一部破断分離斜視図である。
【発明を実施するための形態】
【００１５】
次に、本願発明の実施形態を図面に基づいて説明する。以下の説明では、方向を特定するため「前後」「左右」の文言を使用するが、これは、机を普通の姿勢で使用する人の向きを基準にしている。従って、机の間口方向が左右方向であり、奥行き方向が前後方向である。前と後ろについては、使用者に近い側を前として、使用者から遠い背面の箇所を後ろとして使用している。
【００１６】
(1).机の概略
図１〜３に示すように、机は、平面視四角形（長方形）の天板１と、これを左右両側部において支持する左右の脚２とを有する。天板１は木質系であるが、スチール製にすることも可能である。脚２は、棒状の前後脚支柱３，３′をその上端において水平状の上フレーム４で連結した門型になっており、上フレーム４に前後一対のスペーサ５をボルトで固定し、このスペーサ５に天板１をボルトで固定している。従って、天板１と上フレーム４との間には、ケーブル類を挿通できる程度の間隔が空いている。
【００１７】
脚支柱３，３′及び上フレーム４は中空で概ね四角形になっており、両者に嵌入する側面視Ｌ形の連結ブラケット（図示せず）を介して一体に連結されている。また、左右脚２における後部脚支柱３の上部間にはビーム６が配置されており、ビーム６と左右の後部脚支柱３とがボルトで固定されている。なお、ビーム６の固定手段としては、後部脚支柱３の内側面に、ビーム６の端部に嵌入する連結用ブラケット突起（図示せず）を固定し、この連結用ブラケット突起にビーム６をボルトで固定している。
【００１８】
天板１の後端部のうち左右中間部には、後ろ向きに開口した平面視四角形の切り開き部７を形成しており、この切り開き部７を配線空間と成している。そして、切り開き部７にはこれを塞ぐカバー８を装着している。カバー８は着脱自在である。天板１の後部は、切り開き部７を形成したことで強度が弱くなるおそれがある。そこで、天板１のうち切り開き部７を挟んだ左右両側の部位は、ビーム６に取り付けた天板支持ブラケット９で下方から支持されている。
【００１９】
また、ビーム６の下部には、ケーブル受け１０とその上方に位置したコネクタサポート１１とが取り付けられている。ケーブル受け１０は、ビーム６に左右スライド自在に取り付けられている。ビーム６に複数のケーブル受け１０を装着することも可能である。
【００２０】
図３（Ａ）に示すように、ビーム６は、後部脚支柱３の上端部でかつ略後半部に連結されている。そして、図４に明瞭に示すように、ビーム６は、手前に突出した上下の折り返し部１２ａ，１２ｂを有するチャンネル状の基板１２を有しており、基板１２の前面に、側面視凸形の補強材１３を溶接で固着している。基板１２の上下折り返し部１２ａ，１２ｂは、それぞれ後ろ向きの内向き片１２ａ′，１２ｂ′を有する。また、補強材１３は前向き凸部１３ａを有しており、そこで、ビーム６の内部には、補強材１３の前向き凸部１３ａを挟んだ上下両側に、蟻溝形式の上係合溝６ａと下係合溝６ｂとが形成されている。
【００２１】
天板支持ブラケット９は、ビーム６の上係合溝６ａに嵌まる嵌合部９ａと、天板１の下面にビスで固定される受け部９ｂと、これらを繋ぐ傾斜状のアーム部９ｃとを有している。受け部９ｂは平面視で半分が切り開き部７に露出しており、従って、平面視で略半分の部位が天板１に固定され、平面視で略半分の部位は後述するカバー受け１９に下方から重なっている。
【００２２】
コネクタサポート１１は板金製品であり（樹脂製でもよい）、左右天板支持ブラケット９のアーム部９ｃの間に配置されている。コネクタサポート１１は、コンセント１１ｃを固定できる本体部１１ａを有しており、本体部１１ａの上端に、ビーム６の上係合溝６ａに嵌まる左右一対の係合片１１ｂを一体に形成している。
【００２３】
コネクタサポート１１の係合片１１ｂは側面視下向き開口コの字形になっており、その先端が、ビーム６を構成する補強材１３の凸部１３ａに設けたスリットに上から嵌まっている。コネクタサポート１１の係合片１１ｂに、天板支持ブラケット９における嵌合部９ａのうち、アーム部９ｃから内向きに張り出した部位が、上から重なっている。ケーブル受け１０は上向きに開口したトレー状の形態を成しており、その後端には、ビーム６の下係合溝６ｂに嵌まる嵌合部１０ａを設けている。
【００２４】
(2).カバー及びその取り付け構造
次に、カバー８及びその取り付け構造を図５〜図１０に基づいて説明する。カバー８は樹脂製であり、例えば図７に示すように、内部に小物を収容できるように浅いトレー状（箱状）の形態になっている。すなわち、付加機能部として、小物を収納する凹部を備えている。
【００２５】
従って、カバー８は、底板１４と前壁１５と後ろ壁１６と左右のサイド壁１７とを有しており、かつ、内部には、後ろ壁１６に寄った状態で左右横長の中仕切り１８を設けている。前壁１５と後ろ壁１６と左右のサイド壁１７とで、周壁が構成されている。カバー８は、全体として天板１の厚さよりやや薄い上下寸法になっている。また、中仕切り１８は各壁１５，１６，１７よりも低い高さになっている。本実施形態のカバー８は前後の方向性はないので、左右横長の壁に前後の違いはないが、便宜的に、中仕切り１８に近いものを後ろ壁１６と呼んでいる。
【００２６】
天板１の切り開き部７には、カバー８を取り付けるためのカバー受け１９が固定されている。カバー受け１９は樹脂製であり、切り開き部７の内面に重なるように、板状の基部２０と同じく板状の左右一対のサイド部２１とを有する平面視コの字形に形成されている。基部２０及びサイド部２１の上端には、天板１の上面に重なるフランジ片２２を一体に設けている。フランジ片２２の外周縁の上面は、天板１に向けて傾斜している。なお、カバー８とカバー受け１９とでカバー装置が構成されている。
【００２７】
図９に示すように、切り開き部７の内周面のうち、内底面７ａの左右中間部と内側面７ｂの後端部とに角形の凹溝３２を形成している一方、カバー受け１９の基部２０とサイド部２１とには、凹溝３２に入り込む嵌合突起３１を設けており、これら凹溝３２と嵌合突起３１とで位置決めをしていると共に、基部２０とサイド部２１とをビス２５で切り開き部７に固定している。
【００２８】
カバー受け１９の基部２０は切り開き部７の内底面７ａに直接に重なっているが、カバー受け１９のサイド部２１には外向きのスペーサ片２６を設けており、スペーサ片２６が切り開き部７の内側面７ｂに当接している。従って、カバー受け１９のサイド部２１と切り開き部７の内側面７ｂとの間には空間が空いている。このため、サイド部２１には、切り開き部７の内側面７ｂに当接する凹陥部２７を設けており、ビス２５の頭は凹陥部２７に入り込んでいる。
【００２９】
例えば図４（Ａ）に示すように、切り開き部７の内底面７ａ（正確にはカバー受け１９の基部２０）とカバー８との間には、ケーブルＣを机上に引き出すための通線部７ｃが開口している。そして、図９（Ｂ）に明瞭に示すように、カバー受け１９の基部２０のうち左右両端寄りの部位に、左右一対の仕切り部２８を後ろ向きに突設しており、このため通線部７ｃは左右３つのエリアに区分されている。これにより、ケーブル類Ｃを左右に捌いた状態で机上に引き出すことができる。なお、仕切り部２８は、カバー８の前向き移動限度も規制している。
【００３０】
仕切り部２８は横向き張り出し部２８ａを有する平面視Ｌ形に形成されており、このため、横向き張り出し部２８ａと基部２０との間は、切り開き部７の内周方向に向かって開口した細幅部７ｃ′になっている。この細幅部７ｃ′には、通信線のような細いケーブルＣを通すことができる。
図７に示すように、横向き張り出し部２８ａの前面には、左右外側に行くに従って前後幅が小さくなる平面視三角形のリブ２９を形成している。このため、細いケーブルＣを、切り開き部７の内周方向に移動させてリブ２９と基部２０との間に挟み込むことができる。なお、仕切り部２８は、左右の横向き張り出し部２８ａを有する平面視Ｔ形にすることも可能であり、この場合は、仕切り部２８を挟んだ左右両側に細幅部７ｃ′が開口する。
【００３１】
図９（Ｂ）に示すように、仕切り部２８は、下向きの垂下片２８ｂを有していてポケット状に形成されており、垂下片２８ｂで囲われた内側にビス２５の頭が配置されている。すなわち、カバー受け１９の基部２０は、仕切り部２８の箇所において天板１にビス２５で固定されている。カバー受け１９の内角部の下端には平面視三角形のコーナー３０を設けている。カバー受け１９における基部２０のうち左右中間部と左右端部との３カ所、及び、サイド部２１の先端部には、補助の位置決め突起３１を突設している。他方、切り開き部７の内面には、位置決め突起３１が嵌まる位置決め穴３２を空けている。
【００３２】
カバー受け１９におけるサイド部２１の下端には、カバー８の左右側部が載る支持片３５を内向きに突設している。支持片３５はサイド部２１の全長には延びておらず、サイド部２１の前端と後端との間に配置されている。
【００３３】
カバー８は、支持片３５で支持された状態で前後２つの位置に変更自在であると共に、左右横長の軸心回りに跳ね上げ回動させることができる。また、既述のように、カバー受け１９に対しては着脱自在である。
【００３４】
そして、カバー８をカバー受け１９に前後位置変更自在及び跳ね上げ回動自在並びに着脱自在と成すための手段として、本実施形態では、図８や図９（Ｂ）や図１０から容易に理解できるように、カバー８における左右サイド壁１７の外面に、前後一対の係合凹部３６を設けている一方、カバー受け１９のサイド部２１には、前後一対ずつの係合凹部３６に選択的に嵌まる係合凸部３７を設けている。係合凹部３６及び係合凸部３７は、球の一部を成すように曲面に形成されている。例えば図９（Ｂ）に示すように、カバー８における左右サイド壁１７の外面には、横長の凹み（或いはリブ）を多段に形成している。
【００３５】
係合凸部３７は、凹陥部２７の前後両側に位置した片持ち梁状の舌状片３８の先端に設けられている。すなわち、舌状片３８はその付け根を除いてスリット３９で囲われており、このため、樹脂の持つ弾性により、舌状片３８は係合凸部３７が左右動するように撓み変形し得る。既述のように、カバー受け１９のサイド部２１と切り開き部７の内側面７ｂとの間には空間が空いているが、この空間の存在により、舌状片３８がカバー８から逃げる方向に大きく撓み変形することが許容されている。
【００３６】
係合凸部３７をカバー８に設けて、係合凹部３６をカバー受け１９に設けることも可能である。また、係合凹部３６と係合凸部３７とは曲面構造にすることに限らず、例えば、係合凸部３７をピン状に形成して係合凹部３６を丸穴に形成することも可能である。
【００３７】
図８に示すように、手前に位置した一対の係合凹部３６の前後間隔Ｗ１と後ろに位置した一対の係合凹部３６の前後間隔Ｗ１とは同じ寸法に設定されており、また、前後対の係合凹部３６の間隔寸法Ｗ２と前後係合凸部３７の間隔寸法Ｗ２とも、同じ寸法になっている。また、嵌合凹部３６はカバー８の上下中間高さ位置に設けられており、上下面からの寸法Ｗ３は、係合凸部３７と支持片３５との上下間隔寸法Ｗ３′と同じになっている。
【００３８】
更に、前後端に位置した係合凹部３６とカバー８の前後端との間隔寸法Ｗ４は、後ろに位置した係合突部３７とサイド部２１の後端との間隔寸法Ｗ４′と同じ寸法であると共に、手前に位置した係合凸部３７と仕切り部部２８との間隔寸法Ｗ４″と同じ寸法になっている。また、図５（Ａ）に示すように、支持片３５の後端と後ろ側の係合凸部３７との間隔寸法Ｗ５は、カバー８の全体の厚さ寸法の半分の寸法Ｗ３と略同じか僅かに大きい寸法に設定している。
【００３９】
(3).まとめ
以上の構成において、既述のとおり、舌状片３８が撓み変形することで、カバー８の係合凹部３６を係合凸部３７は嵌脱させることができる。このため、カバー８は、舌状片３８を撓み変形させることでカバー受け１９に着脱自在である。この場合、Ｗ３とＷ３′とが同じ寸法であるため、カバー８は、上下いずれに開口した姿勢であっても、カバー受け１９に取り付けることができる。
【００４０】
また、Ｗ２とＷ２′とが等しいため、カバー８は、ある程度の力をかけると前後にスライドさせて、係合凸部３７を前後の係合凹部３６のいずれかに選択して嵌合させることができる。これにより、カバー８と天板１（受け部材１９の基部２０）との間の通線部７ｃの間隔を２段階に広狭調節することができる。この場合、カバー８は左右の支持片３５で支持されているため、雌雄係合部３６，３７の嵌合位置を変えることでカバー８の前後位置を変更する方式でありながら、カバー８を的確に前後動させることができる。
【００４１】
図５（Ａ）に示すように、カバー受け１９の後端面は、ビーム６の後端面よりも若干の寸法Ｗ６だけ手前にずれている。そこで、この寸法Ｗ６を前後係合凹部３６の間隔寸法Ｗ１と略同じに設定することにより、カバー８を平面視でビーム６の後ろにはみ出ないように設定している。Ｗ１をＷ６よりも大きい寸法に設定することも可能であるが、机を背中合わせに配置することも多いので、互いの干渉を回避するには、Ｗ１はＷ６と等しいか僅かに小さい寸法に設定するのが好ましい。
【００４２】
係合凸部３７と係合凹部３６と軸受けとしても機能するので、カバー８は後ろに位置した左右係合凸部３７を結ぶ線Ｏ（図５（Ｂ）及び図６参照）を中心にして跳ね上げ回動させることができる。ケーブルＣを配線したり確認したりする場合は、カバー８を取り外すことも可能であるが、跳ね上げ回動させることにより、力を要せずに、ワンタッチ操作によって切り開き部７を大きく開口させることができる。
【００４３】
本実施形態のように、カバー受け１９をビス２５で天板１に締結するにおいて、仕切り部２８の箇所においてビス２５で締結したり、凹陥部２７の箇所においてビス２５で締結したりすると、ビス２５の頭は凹部に隠れているため、仮にねじ込み作業においてビス２５の頭に傷が付いてバリが出てもケーブルＣが接触することはないため、安全性を向上できる。なお、本実施形態のカバー８は前後左右表裏の方向性はないため、任意の姿勢に配置できる。
【００４４】
(4).その他
本願発明は、上記の実施形態の他にも様々に具体化できる。例えば、配線空間は天板の左側部や右側部などに設けることも可能である。机（テーブル）も様々な形態のものがあるが、本願発明は各種の机に適用できる。図示した実施形態では仕切り部を左右２つ設けたが、仕切り部の数は１又は３つ以上の複数とすることも可能である。仕切り部をリブ状（フィン状）に形成してこれを適宜間隔で多数形成し、隣り合ったリブの間に１本のケーブルを配置するといったことも可能である。
【００４５】
また、上記の実施形態ではカバーの前後位置を２段階に変更していたが、段階調節式とする場合、３段階以上の複数段に変更することも可能である。もとより、カバーの前後位置は無段階に調節することも可能である。カバーを前後スライドするためのガイド手段や、カバーを跳ね上げ回動させるための軸支手段は様々の機構を採用できる。敢えて述べるまでもないが、本願発明は、カバーがスライド式でないタイプにも適用できる。また、仕切り部をカバーの下方まで延ばすことも可能である。
【産業上の利用可能性】
【００４６】
本願発明は、実際に机に具体化できる。従って、産業的に利用できる。
【符号の説明】
【００４７】
１  天板
２  支持体の一例としての脚
３  脚支柱
６  ビーム
７  切り開き部（配線空間）
７ａ  内底面
７ｂ  内側面
７ｃ  通線部
７ｃ′細幅部
８  カバー
１９  受け部材（エッジ部材）
２０  基部
２１  サイド部
２８  仕切り部
２８ａ  横向き張り出し部
３５  支持片
３６  係合凹部
３７  係合凸部          
【図１】
0005997429.tif 000002
【図２】
0005997429.tif 000003
【図３】
0005997429.tif 000004
【図４】
0005997429.tif 000005
【図５】
0005997429.tif 000006
【図６】
0005997429.tif 000007
【図７】
0005997429.tif 000008
【図８】
0005997429.tif 000009
【図９】
0005997429.tif 000010
【図１０】
0005997429.tif 000011